(57)【特許請求の範囲】
【請求項１】
コインを貯留するコイン容器の下側に配されたベース面上に回動可能に設けられた回転ディスクと、
前記回転ディスクの裏面側に設けられ、該回転ディスクと前記ベース面との間隔へと前記コイン容器内より取り込まれたコインを、該回転ディスクの回動に伴って後押しすることにより、前記ベース面上の通過口を介して投出することが可能なコイン押出部と、
コインが前記通過口を介して投出される毎に付勢に抗して揺動され、該揺動に基づき該投出されるコインを検出するための検出レバーと、
前記検出レバーの揺動先端側に設けられているとともに前記通過口の一部を構成し、前記投出の際にコインに押されることにより前記検出レバーを伴って移動することによって、常時はコインよりも狭い通過口をコインが通過可能な広さに変化させるとともに前記検出レバーを揺動させる通過口内径可変部材と、
前記検出レバーを、該検出レバーに対する前記付勢に抗して緩衝可能に停止させることによって、常時において前記通過口をコインよりも狭い状態に維持できるよう前記通過口内径可変部材を前記ベース面上における一定箇所に位置させるための緩衝停止部材と、
を備え、
前記緩衝停止部材と前記通過口内径可変部材とは、前記検出レバーが揺動先端側に有する支持部によって、ともに支持されていることを特徴とするコイン投出装置。
【請求項２】
前記検出レバーは、前記ベース面を表側に有するベース面構成部材の裏面側に配され、
前記検出レバーの揺動先端側に設けられた通過口内径可変部材を前記ベース面構成部材の表側に突出させるための可変部材突出用開口穴の内周に、前記緩衝停止部材が当接することによって、
前記検出レバーを前記停止させるように構成されていることを特徴とする請求項１に記載のコイン投出装置。
【請求項３】
コインが前記投出される際の前記検出レバーの揺動を検出することに基づきコインの投出数を検出するための検出部を一体に備えるとともに、前記検出レバーを該検出レバーに対する付勢に抗して揺動可能に裏面側に軸支し、前記検出レバー、前記通過口内径可変部材および前記検出部を一体的に伴って、前記ベース面構成部材に対し付勢に抗して揺動可能に設けられた揺動部材をさらに備え、
前記揺動部材は、
コインが前記投出される場合に、前記検出レバーが当該揺動部材に対し揺動する際には、該揺動を前記検出部により検出可能となるように、該検出部とともに前記ベース面構成部材に対し静止状態に維持される一方で、
前記回転ディスクの回転に伴い前記コイン押出部によりコインが前記通過口近傍位置に運ばれたにも拘わらず該通過口を通過して投出されない場合に、該投出されないコインが前記コイン押出部と前記通過口内径可変部材との間隔に挟み込まれて詰まってしまうことを防止するとともに、該投出されないコインが前記検出レバーを揺動させてしまうことによるコインの誤検出を防止するため、前記投出されないコインが前記コイン押出部により後押しされて前記通過口内径可変部材を押す際に、該通過口内径可変部材、前記検出レバーおよび前記検出部を一体的に伴って当該揺動部材に対する付勢に抗して前記ベース面構成部材に対し揺動することによって、前記通過口内径可変部材を、該通過口内径可変部材と前記コイン押出部との間隔が広がる方向へと前記ベース面構成部材に対し相対的に移動させるとともに、前記検出レバーと前記検出部とを互いに相対変位のない状態に維持させるように構成され、
前記可変部材突出用開口穴は、前記揺動部材および前記ベース面構成部材をともに表裏に貫通するように設けられ、
前記可変部材突出用開口穴を構成するうちで、前記揺動部材側の部位に前記緩衝停止部材が当接することによって、前記検出レバーが前記停止するように構成されていることを特徴とする請求項２に記載のコイン投出装置。
【発明の詳細な説明】
【０００１】
【発明の属する技術分野】
本発明は、コイン投出装置に関する。
【０００２】
【従来の技術】
従来より、例えばスロットマシン等の遊技機、或いは、両替機等に用いられるコイン投出装置が知られている。
このようなコイン投出装置は、上側に向け開口する箱形に形成されコインを貯留するコイン容器と、このコイン容器の下側に配されるベース面と、このベース面上に回動可能に設けられた回転ディスク等を備えている。
この回転ディスクは、該回転ディスクの表裏を貫通するコイン取込穴を有し、このコイン取込穴を介してコイン容器内のコインをベース面との間に取り込み可能となっている。
さらに、回転ディスクの裏面側には、該回転ディスクとベース面との間に取り込まれたコインを、該回転ディスクの回動に伴って後押することにより、ベース面上の通過口近傍に運んだ後、該通過口を介して当該回転ディスクの遠心方向に投出するコイン押出部（「ひれ」ともいう。）が設けられている。
また、コイン投出装置は、コインが通過口を介して投出される毎に付勢に抗して揺動され、該揺動回数に基づき投出されるコイン数を検出するための検出レバーを備える。
ここで、上記通過口は、常時は、コインよりも狭い状態に維持されているが、コイン通過の際にはコインにより押し広げられて、該コインが通過可能な内径に拡大する。
このことをなし得るために、通過口の内壁の一部は、検出レバーに設けられたガイドローラ（通過口内径可変部材）により構成され、このガイドローラが投出されるコインによって押されることにより付勢に抗して移動することによって、常時はコインよりも狭い通過口がコインの通過可能な広さとなる。
また、検出レバーは、通過口内径可変部材がコインにより押されるのに伴い揺動するので、この揺動を検出センサにより検出することに基づき、コインの投出数を検出することできる。
【０００３】
具体的には、例えば、図１５に示すように、検出レバー１０４は、ベース面１０２上におけるコインの移動を妨げないように、ベース面１０２を構成するベース面構成部材１０６の裏面側に、揺動可能に軸支されている。
より具体的には、図１８に示すように、ベース面構成部材１０６の裏面には、該ベース面構成部材１０６に対し揺動可能な揺動部材１０５（図１６、図１７）が軸支され、この揺動部材１０５の裏面に、検出レバー１０４が軸支されている。
また、ガイドローラ１０１は、検出レバー１０４に回動可能に軸支され、ベース面１０２に形成された開口穴１０２ａを介してベース面１０２よりも上側に突出し、ベース面１０２上の通過口１０３の一部を構成している。
そして、この通過口１０３をコインが通過する際には、コインによりガイドローラ１０１（通過口内径可変部材）が押されて移動し、通過口１０３がコインの通過可能な内径に変化する。
この際、検出レバー１０４も揺動し、この揺動を検出センサ１０７（図１７）により検出することに基づき、コインの投出数を検出することできる。
【０００４】
ここで、図１７等に示すように、揺動部材１０５の裏面には、検出レバー１０４を、該検出レバー１０４に対する付勢に抗して停止させるためのストッパ部１０８が設けられている。他方、検出レバー１０４には、このストッパ部１０８に当接することで当該検出レバー１０４を停止させるためのストッパ片１０４ａが折曲げ形成されている。
そして、検出レバー１０４のストッパ片１０４ａをストッパ部１０８に当接させて検出レバー１０４を停止させることによって、図１８に示すように、常時において通過口１０３をコインよりも狭い状態に維持できるようガイドローラ１０１をベース面１０２上における一定箇所に位置させることが可能となっている。
なお、検出レバー１０４を緩衝可能に停止できるように、例えばストッパ部１０８の周囲には、ストッパ片１０４ａが当接する緩衝停止部材１０８ａ（例えば、弾性樹脂などからなる）が設けられている。
【０００５】
【発明が解決しようとする課題】
しかしながら、上記の構成では、検出レバー１０４は、ガイドローラ１０１を軸支する軸支部１０１ａ（図１６）と、検出レバー１０４を停止させるためだけの特別の部位であるストッパ片１０４ａ（図１７）とを備える必要がある。また、揺動部材１０５は、緩衝停止部材１０８ａを支持する支持部１０８ｂ（図１７）を備える必要がある。つまり、これら揺動部材１０５と検出レバー１０４の何れも構成が複雑である。
しかも、ストッパ片１０４ａが検出レバー１０４の揺動支点付近に位置しているため、該検出レバー１０４の停止位置にバラツキが生じやすい。従って、ガイドローラ（通過口内径可変部材）１０１を、再現性良くベース面１０２上における一定箇所に位置させることが困難な可能性がある。
【０００６】
この発明は、上記のような問題点を解決するためになされたもので、検出レバー等の構成をシンプルにできるとともに、通過口内径可変部材を再現性良くベース面上における一定箇所に位置させることが可能なコイン投出装置を提供することを目的とする。
【０００７】
【課題を解決するための手段】
上記課題を解決するため、
請求項１記載の発明は、コイン投出装置１において、
コインを貯留するコイン容器２の下側に配されたベース面５１上に回動可能に設けられた回転ディスク３と、
前記回転ディスクの裏面側に設けられ、該回転ディスクと前記ベース面との間隔へと前記コイン容器内より取り込まれたコインを、該回転ディスクの回動に伴って後押しすることにより、前記ベース面上の通過口５１４を介して投出することが可能なコイン押出部３３と、
コインが前記通過口を介して投出される毎に付勢に抗して揺動され、該揺動に基づき該投出されるコインを検出するための検出レバー６０と、
前記検出レバーの揺動先端側に設けられているとともに前記通過口の一部を構成し、前記投出の際にコインに押されることにより前記検出レバーを伴って移動することによって、常時はコインよりも狭い通過口をコインが通過可能な広さに変化させるとともに前記検出レバーを揺動させる通過口内径可変部材（例えば、ガイドローラ６１）と、
前記検出レバーを、該検出レバーに対する前記付勢に抗して緩衝可能に停止させることによって、常時において前記通過口をコインよりも狭い状態に維持できるよう前記通過口内径可変部材を前記ベース面上における一定箇所に位置させるための緩衝停止部材６３と、
を備え、
前記緩衝停止部材と前記通過口内径可変部材とは、前記検出レバーが揺動先端側に有する支持部（例えば、支持軸６４）によって、ともに支持されていることを特徴としている。
【０００８】
請求項１記載の発明によれば、緩衝停止部材が、通過口内径可変部材とともに検出レバーが備える支持部によって支持されているので、緩衝停止部材を支持する支持部と通過口内径可変部材を支持する支持部とを別個に備える必要がない。つまり、従来と比べて、構成をシンプルにすることができる。
しかも、緩衝停止部材が検出レバーの揺動先端側に設けられているので、揺動支点側に設けられている場合と比べて、より確実に、通過口内径可変部材をベース面上における停止位置（一定箇所）に再現性良く位置させることが可能となり、該停止位置にバラツキが生じてしまうことを防止できる。
【０００９】
なお、通過口内径可変部材は、支持部を構成する支持軸によって回動可能に軸支されているとともに、通過口を通過するコインを回動によりガイド可能なガイドローラであることが好ましい。この場合、通過口を介してコインを投出する際に、該コインをガイドローラにより案内することができるので、コインの投出をスムーズに行うことができる。
【００１０】
請求項２に記載の発明は、
請求項１に記載のコイン投出装置１において、
前記検出レバーは、前記ベース面を表側に有するベース面構成部材５２の裏面側に配され、
前記検出レバーの揺動先端側に設けられた通過口内径可変部材を前記ベース面構成部材の表側に突出させるための可変部材突出用開口穴（例えば、ガイドローラ突出用開口部９）の内周に、前記緩衝停止部材が当接することによって、
前記検出レバーを前記停止させるように構成されていることを特徴としている。
【００１１】
ここで、請求項３のように、揺動部材を備える場合には、可変部材突出用開口部を構成するうちで、揺動部材側の部位に緩衝停止部材が当接することによって、検出レバーを停止させるように構成することが好ましいが、揺動部材を備えない場合には、ベース面構成部材に形成された可変部材突出用開口部の内周に緩衝停止部材が当接することによって、検出レバーを停止させるように構成しても良い。
【００１２】
請求項２に記載の発明によれば、ベース面構成部材の裏面側に設けられた検出レバーの揺動先端側に設けられた通過口内径可変部材をベース面上に突出させるための可変部材突出用開口部の内周に緩衝停止部材を当接させることによって、検出レバーを該検出レバーに対する付勢に抗して停止させることができる。つまり、可変部材突出用開口部を、緩衝停止部材を緩衝停止させるためにも兼用できるので、緩衝停止部材を緩衝停止させるためだけの特別の部位或いは部材を備える必要がない。
【００１３】
請求項３に記載の発明は、
請求項２に記載のコイン投出装置において、
コインが前記投出される際の前記検出レバーの揺動を検出することに基づきコインの投出数を検出するための検出部（例えば、検出センサ６２）を一体に備えるとともに、前記検出レバーを該検出レバーに対する付勢に抗して揺動可能に裏面側に軸支し、前記検出レバー、前記通過口内径可変部材および前記検出部を一体的に伴って、前記ベース面構成部材に対し付勢に抗して揺動可能に設けられた揺動部材８をさらに備え、
前記揺動部材は、
コインが前記投出される場合に、前記検出レバーが当該揺動部材に対し揺動する際には、該揺動を前記検出部により検出可能となるように、該検出部とともに前記ベース面構成部材に対し静止状態に維持される一方で、
前記回転ディスクの回転に伴い前記コイン押出部によりコインが前記通過口近傍位置に運ばれたにも拘わらず該通過口を通過して投出されない場合に、該投出されないコインが前記コイン押出部と前記通過口内径可変部材との間隔に挟み込まれて詰まってしまうことを防止するとともに、該投出されないコインが前記検出レバーを揺動させてしまうことによるコインの誤検出を防止するため、前記投出されないコインが前記コイン押出部により後押しされて前記通過口内径可変部材を押す際に、該通過口内径可変部材、前記検出レバーおよび前記検出部を一体的に伴って当該揺動部材に対する付勢に抗して前記ベース面構成部材に対し揺動することによって、前記通過口内径可変部材を、該通過口内径可変部材と前記コイン押出部との間隔が広がる方向へと前記ベース面構成部材に対し相対的に移動させるとともに、前記検出レバーと前記検出部とを互いに相対変位のない状態に維持させるように構成され、
前記可変部材突出用開口穴は、前記揺動部材および前記ベース面構成部材をともに表裏に貫通するように設けられ、
前記可変部材突出用開口穴を構成するうちで、前記揺動部材側の部位に前記緩衝停止部材が当接することによって、前記検出レバーが前記停止するように構成されていることを特徴としている。
【００１４】
請求項３に記載の発明によれば、揺動部材を備えているので、回転ディスクの回転に伴いコイン押出部によりコインが通過口近傍位置に運ばれたにも拘わらず該通過口を通過して投出されない場合に、該投出されないコインがコイン押出部により後押しされて通過口内径可変部材を押す際に、揺動部材が、通過口内径可変部材、検出レバーおよび検出部を一体的に伴って当該揺動部材に対する付勢に抗してベース面構成部材に対し揺動することによって、通過口内径可変部材を該通過口内径可変部材とコイン押出部との間隔が広がる方向へとベース面構成部材に対し相対的に移動させることができる。よって、通過口を介して投出されないコインがコイン押出部と通過口内径可変部材との間隔に挟み込まれて詰まってしまうことを防止することができる。
また、投出されないコインがコイン押出部により後押しされて通過口内径可変部材を押す際に、揺動部材が、通過口内径可変部材、検出レバーおよび検出部を一体的に伴って当該揺動部材に対する付勢に抗してベース面構成部材に対し揺動することによって、検出レバーと検出部とを互いに相対変位のない状態に維持させることができるので、該投出されないコインが検出レバーを該検出レバーに対する付勢に抗して揺動させてしまうことによるコインの誤検出を防止することができる。
また、揺動部材は、コインが投出される場合に、検出レバーが該検出レバーに対する付勢に抗して揺動される際には、検出部とともにベース面の構成部材に対し相対的に静止状態に維持されるので、コインが投出される場合におけるコインの検出も支障無く行うことができる。
さらに、可変部材突出用開口部は、揺動部材およびベース面構成部材をともに表裏に貫通するように設けられていて、該可変部材突出用開口部を構成するうちで、揺動部材側の部位に緩衝停止部材が当接することによって、検出レバーが停止するように構成されているので、揺動部材が揺動する際に検出レバーが揺動部材に対し揺動してしまうことを防止できる。よって、コインの誤検出を防止できる。
【００１５】
【発明の実施の形態】
以下、図面を参照して、本発明に係る実施の形態について説明する。
【００１６】
先ず、コイン投出装置の概略構成について説明する。
図１に示すように、本実施の形態のコイン投出装置１は、例えばスロットマシン用であり、コインを貯留するコイン容器２と、コイン容器２の下側に配されるベース面５１（図２等）と、このベース面５１上に回転可能に設けられ、表裏を貫通した状態に形成されたコイン取込穴３２を介してコイン容器２内のコインを流下させてベース面５１との間に取り込み可能であるとともに、この取り込んだコインを回転に伴わせて当該コイン投出装置１外に投出する回転ディスク３（図２、図３等）と、この回転ディスク３を回転駆動させる駆動装置としての駆動モータ４（図１０）と、回転ディスク３の回転に伴い投出されるコインを計数するための計数装置（図示略）と、これら計数装置、駆動モータ４および回転ディスク３等を保持しているとともに、前記ベース面５１を備える本体部５等を備えて概略構成されている。
【００１７】
このうち、本体部５は、図１〜図３に示すように、例えば箱形形状をなし、例えば屋根型の上面には、図２および３に示すように、例えば略平面に形成されているとともに水平面に対し傾斜したベース面５１を備えている。
このベース面５１は、コイン摺動面５１１と、コイン投出通路５１２と、上段部５１３とを備えて構成されている。
このうち、コイン摺動面５１１は、図３に示すように、外周が回転ディスク３と略等しい円形状に設定されている。そして、回転ディスク３に取り込まれたコインは、該回転ディスク３の回転に伴い、該回転ディスク３の円周方向に沿って、コイン摺動面５１１に片面を接した状態で摺動する。また、コイン投出通路５１２は、コイン摺動面５１１と連続面をなしている。このコイン投出通路５１２は、回転ディスク３の回転に伴いコインをコイン摺動面５１１より遠心方向に向けて当該コイン投出装置１外に投出する際に、コインを通過させる。なお、コイン摺動面５１１とコイン投出通路５１２との境界部は、常時はコインの直径よりも内径Ｗの狭い通過口５１４（後述）となっている。
さらに、上段部５１３は、これらコイン投出通路５１２およびコイン摺動面５１１よりも上段に形成されることで、これらコイン摺動面５１１およびコイン投出通路５１２の外周壁部（コインの案内壁部として機能する）を形成している。
なお、ベース面５１は、例えば平板状のベース面構成部材５２により構成されている。また、このベース面構成部材５２は、例えば、上面によりコイン摺動面５１１およびコイン投出通路５１２を構成する平板状の下側構成部材５２ａと、上段部５１３を構成する上側構成部材５２ｂとからなる。すなわち、上側構成部材５２ｂは、例えば下側構成部材５２ａと同様の外形を有するが、中央部をコイン摺動面５１１とコイン投出通路５１２を合わせた形状に切り欠かれ、下側構成部材５２ａと外周が一致するように該下側構成部材５２ａ上に設けられている。また、例えば、上側構成部材５２ｂのうち通過口５１４の内壁を構成する部分は、別部材となっていて、該部材を取り外すか、或いは、異なるサイズのものに付け替えることによって、通過口５１４の内径Ｗをコインの径に応じて変更可能となっている。
【００１８】
また、本体部５の内部、すなわち、ベース面５１に対し裏面側には駆動モータ４（図１０）が設けられ、図３に示すように、駆動モータ４の駆動軸４１は、ベース面５１のコイン摺動面５１１の中央より該コイン摺動面５１１に対し垂直に突出している。そして、この駆動軸４１により回転ディスク３が軸受けされている。このため、回転ディスク３は、例えば、水平面に対し傾斜状態で配されている。また、この状態で、回転ディスク３の裏面の例えば中央部に形成された摺動部３７（図４等）の裏面がコイン摺動面５１１に当接するとともに、図２に示すように、該回転ディスク３の全体によりコイン摺動面５１１が覆われている。この状態で、回転ディスク３は、駆動モータにより該回転ディスク３の盤面方向（矢印Ａ方向（図２））に回動駆動されるようになっている。
【００１９】
また、コイン容器２は、図１に示すように、上方に開口する箱形形状をなしていて、底部には、該コイン容器２内に回転ディスク３を臨ませることが可能な寸法の開口部（図示略）が形成されている。
そして、コイン容器２は、上記開口部を介して該コイン容器２内に回転ディスク３が臨んだ状態となるように、本体部５の上側に固定されている。
【００２０】
回転ディスク３は、例えば図２等に示すように、略円盤状に構成された本体部３１を備える。
この本体部３１には、該本体部３１の表裏を貫通するコイン取込穴３２が形成されている。このコイン取込穴３２は、より具体的には、直径がコインより大きく設定された、例えば円形の穴である。
従って、このコイン取込穴３２を介してコイン容器２内のコインを流下させることが可能となっている。
このようなコイン取込穴３２は、例えば、複数（具体的には例えば３つ）が本体部３１の円周方向に並んで配されている。なお、各コイン取込穴３２は、回転ディスク３の回転中心に対しオフセットされた配置となっている。
また、回転ディスク３の裏面には、例えば図４（ａ）等に示すように、スクリュー状のコイン押出部３３が、当該回転ディスク３の回転方向（矢印Ａ方向）において、各コイン取込穴３２に対する後ろ側位置に設けられている。
ここで、コイン押出部３３の裏面とベース面５１のコイン摺動面５１１との間隔、ならびに、摺動部３７の裏面とコイン摺動面５１１との間隔は、コインの厚さよりも小さく設定されている。他方、回転ディスク３におけるその他の部位の裏面とコイン摺動面５１１との間隔は、コインの厚さよりも大きく設定されている。
従って、コイン取込穴３２を介して流下させたコインを、当該回転ディスク３２とコイン摺動面５１１との間、すなわち、より具体的には、回転ディスク３におけるコイン押出部３３および摺動部３７を除く部位とコイン摺動面５１１との間に取り込み可能となっている。
【００２１】
そして、このように、コイン取込穴３２を介して回転ディスク３２とコイン摺動面５１１（ベース面５１）との間にコインを取り込んだ状態で回転ディスク３が回転すると、コインは、コイン押出部３３により後押しされて通過口５１４に向け運ばれる。
この際、コインは、コイン摺動面５１１に対し片面を接するとともに、上段部５１３に対し外周端面を接した状態で、コイン摺動面５１１に対し円弧状に摺動する。
ここで、回転ディスク３の裏面とベース面５１との間には、コインを、コイン摺動面５１１に対し回転ディスク３の遠心方向に位置するコイン投出通路５１２側へと導出可能な隙間が形成されている。この隙間は、具体的には、例えば、コイン押出部３３どうしの間隔部分により構成されている。
そして、コイン押出部３３により後押しされたコインがコイン投出通路５１２に臨む位置に達すると、該コインは遠心力に伴い上記隙間を介して回転ディスク３の遠心方向に導出されて、図２および図５のコインＣの状態となる。
また、コインは、引き続き、コイン押出部３３により図２の矢印Ｂ方向に後押しされて、上記隙間および通過口５１４を介してコイン投出通路５１２へと導出され（図５→図６→図７）、さらに、コイン投出通路５１２およびコイン投出口７（図１）を介して当該コイン投出装置１外へと投出される。なお、コイン投出口７は、本体部５とコイン容器２との隙間に形成されるスリット状の開口である。
このように、コイン投出装置１は、回転ディスク３の上面側よりコイン取込穴３２を介して取り込んだコインを、該回転ディスク３の回転に伴わせて１枚ずつ当該コイン投出装置１の外部に順次投出することができる。
【００２２】
ここで、コイン投出装置１の計数装置は、コインが通過口５１４を介して投出される毎に付勢に抗して揺動され、該揺動に基づき該投出されるコインを検出するための検出レバー６０（図１１等）と、この検出レバー６０の揺動を検出することに基づきコインの投出数を検出するための検出センサ（検出部）６２（図８）等を備えている。
【００２３】
このうち、検出レバー６０は、バネ６６（図１０等）等の付勢手段による付勢に抗して揺動可能に、ベース面構成部材５２の裏面側に設けられている。
この検出レバー６０は、揺動支点６０ｃ（図１３等）を支点として、矢印Ｅ方向およびその反対の矢印Ｆ方向に揺動可能となっている。
この検出レバー６０は、図９等に示すように、該検出レバー６０の揺動先端側に、検出センサ６２により検出される被検出部６８を備える。
すなわち、検出レバー６０の例えば板状部材からなる本体部６０ａの揺動先端部を、該本体部６０ａに対し垂直に屈曲させた屈曲部６０ｂを形成し、さらにこの屈曲部６０ｂの先端部を、本体部６０ａと平行となるとともに、本体部６０ａよりも当該検出レバー６０の揺動支点から遠くに位置するように屈曲させることにより、被検出部６８が構成されている。
【００２４】
さらに、検出レバー６０は、図９等に示すように、該検出レバー６０の揺動先端側に支持軸（支持部）６４を備え、該支持軸６４によりガイドローラ６１を回動可能に支持している。
そして、このガイドローラ（通過口内径可変部材）６１は、図１１および図１２等に示すように、ガイドローラ突出用開口穴（可変部材突出用開口部）９を介してベース面構成部材５２の表側、すなわち、ベース面５１上に突出している。
この状態で、ガイドローラ６１は、該ガイドローラ６１の周囲面により、通過口５１４の内壁の一部を構成している。
ここで、バネ６６による検出レバー６０の付勢方向は、ガイドローラ６１が通過口５１４の内径Ｗを狭める方向（図１２、図１３矢印Ｅ方向）に設定されている。さらに、ガイドローラ６１は、その反対方向、つまり、通過口５１４の内径を拡大する方向（図１２、図１３矢印Ｆ方向）に、該付勢に抗して移動可能となっている。
そして、ガイドローラ６１は、コイン押出部３３により図２の矢印Ｂ方向に後押しされるコインが通過口５１４を介して投出される際に、該コインに押されることにより、検出レバー６０に対する付勢に抗して移動し、常時はコインよりも狭い通過口５１４をコインが通過可能な広さに変化させる（図１４、図６等）。
しかも、このようなガイドローラ６１の移動には、検出レバー６０の揺動が伴う。つまり、検出レバー６０は、ガイドローラ６１がコインにより押されて移動するのに伴い揺動するので、この揺動を検出センサ６２により検出することができる。従って、検出センサ６２により検出される検出レバー６０の揺動の回数を計数することにより、コインの投出数を計数することができるようになっている。
なお、通過口５１４をコインが通過した後は、ガイドローラ６１および検出レバー６０は元の位置に復帰し、通過口５１４は再びコインよりも狭くなる。
【００２５】
また、本実施の形態では、通過口内径可変部材として、支持軸６４によって回動可能に軸支されたガイドローラ６１を適用しているため、通過口５１４を介してコインを投出する際に、該コインを回動するガイドローラ６１によりガイドすることができるので、コインの投出をスムーズに行うことができる。このガイドローラ６１は、例えばベアリングなどからなる。
【００２６】
また、コイン投出装置１は、検出レバー６０を、該検出レバー６０に対する付勢に抗して緩衝可能に停止させることによって、常時において通過口５１４をコインよりも狭い状態に維持できるようガイドローラ６１をベース面５１上における一定箇所に位置させるための、例えば弾性樹脂からなる緩衝停止部材６３を備える。
【００２７】
この緩衝停止部材６３は、ガイドローラ６１とともに、検出レバー６０の支持軸６４により支持されている。
そして、図１２等に示すように、緩衝停止部材６３が、ガイドローラ突出用開口部９の内周に当接することによって、検出レバー６０を、該検出レバー６０に対する付勢に抗して緩衝可能に停止させることができるようになっている。
なお、検出レバー６０を停止させる際、ガイドローラ６１がガイドローラ突出用開口部９の内周に当接しないように、緩衝停止部材６３はガイドローラ６１よりも大径に設定されている。
従って、検出レバー６０を停止させる際に、ガイドローラ６１がガイドローラ突出用開口部９に接触しないので、該接触音が発生しない。しかも、該接触によりガイドローラ６１を破損してしまうことも防止できる。
【００２８】
ここで、回転ディスク３とベース面５１（コイン摺動面５１１）との間に取り込まれたコインは、回転ディスク３の回転に伴いコイン押出部３３により後押しされて、通過口５１４の近傍位置に運ばれ、通常は、該通過口５１４を通過して投出されるが、中には、コインが該通過口５１４を通過して投出されない場合がある。
この場合、該投出されないコインは、コイン押出部３３により後押しされて、図５（ａ）等の矢印Ｄに従って移動し、コイン摺動面５１１上を、再び周回することになる
この際に、ガイドローラ６１がベース面構成部材５２に対し移動しないと、コインがガイドローラ６１とコイン押出部３３との間隔に挟み込まれて詰まってしまうことがある。
【００２９】
このような事情に対し、本実施の形態のコイン投出装置１は、ベース面構成部材５２の裏面側に、揺動支点８ａ（図１３等）にて軸支され、該ベース面構成部材５２に対し、例えばバネ８１等の付勢に抗して揺動可能となっている揺動部材８を備えている。
すなわち、揺動部材８は、例えば図８等に示すように、板状の部材であり、揺動支点８ａを支点として、矢印Ｇ方向およびその反対の矢印Ｈ方向（図１０）に揺動可能となっている。
また、この揺動部材８は、図８等に示すように、検出センサ６２を例えば裏面側に一体に備えている。この検出センサ６２は、発光部６２ａおよび受光部６２ｂを備えている。
また、揺動部材８は、検出レバー６０を、該検出レバー６０に対する付勢に抗して揺動可能となるように、該揺動部材８の裏面側に、揺動支点６０ｃにて軸支している。しかも、検出レバー６０が矢印Ｆ方向に揺動した場合に、検出レバー６０の被検出部６８が検出センサ６２の発光部６２ａおよび受光部６２ｂの間に侵入するように、検出センサ６２の位置が設定されている。
そして、検出レバー６０が揺動部材８に対し矢印Ｆ方向に揺動して、発光部６２ａからの発光が検出レバー６０の被検出部６８に遮られることによって、該発光を受光部６２ｂにより受光できなくなることにより、検出レバー６０の揺動状態を検出できるようになっている。
このような揺動部材８は、検出レバー６０、この検出レバー６０に軸支されたガイドローラ６１、および、検出センサ６２等を一体的に伴って、ベース面構成部材５２に対し、当該揺動部材８に対する付勢に抗して揺動可能となっている。
ここで、バネ８１による揺動部材８の付勢方向は、ガイドローラ６１を回転ディスク３の回転中心に近づける方向に設定され、揺動部材８は、その反対方向、つまり、ガイドローラ６１を回転ディスク３の回転中心から遠ざける方向に、該揺動部材８に対する付勢に抗して揺動可能となっている。
【００３０】
すなわち、回転ディスク３の回転に伴いコイン押出部３３によりコインが通過口５１４近傍位置に運ばれたにも拘わらず該通過口５１４を通過して投出されない場合に、該投出されないコイン（図５（ａ）矢印Ｄ方向に移動するコイン）がコイン押出部３３により後押しされてガイドローラ６１を押す際には、揺動部材８は、ガイドローラ６１および検出レバー６０を一体的に伴って、当該揺動部材８に対する付勢に抗してベース面構成部材５２に対し、矢印Ｇ方向に揺動する。
この結果、ガイドローラ６１を、該ガイドローラ６１とコイン押出部３３との間隔が広がる方向（矢印Ｇ方向）へとベース面構成部材５２に対し相対的に移動させることができるので、該投出されないコインがコイン押出部３３とガイドローラ６１との間隔に挟み込まれて詰まってしまうことを防止できる。
【００３１】
また、このような揺動部材８の揺動の際に、検出センサ６２も該揺動部材８と一体に移動するので、検出レバー６０と検出センサ６２とを互いに相対変位のない状態に維持させることができる。
よって、コインが投出されないにも拘わらず検出レバー６０の揺動を検出してしまうことを防止できる。つまり、コインの誤検出を防止できる。
なお、コインが図５（ａ）等の矢印Ｄ方向に従って、コイン押出部３３とガイドローラ６１との間隔を通過した後は、揺動部材８は、再び元の位置に復帰する。
【００３２】
ここで、バネ６６による検出レバー６０の付勢方向（矢印Ｅ方向）と、バネ８１による揺動部材８の付勢方向（矢印Ｈ方向）とは、互いに交差方向であると共に、互いに９０度よりも大きい角度に設定されている。
従って、通過口５１４を介して投出されるコインが、ガイドローラ６１を介して検出レバー６０を揺動させる際には、揺動部材８は該揺動部材８に対する付勢に抗して揺動しない。このため、投出の際には、検出レバー６０の揺動を検出センサ６２により検出可能となるように、該検出センサ６２とともにベース面構成部材５２に対し静止状態に維持される。よって、コインが投出される場合におけるコインの検出を支障無く行うことができる。
他方、投出されないコインがガイドローラ６１を介して揺動部材８を揺動させる際には、検出レバー６０は該検出レバー６０に対する付勢に抗して揺動しない。このため、揺動部材８が揺動する際（つまり、コインが投出されない場合）に、検出レバー６０の揺動が検出センサ６２により検出されてしまう誤検出も発生しない。
【００３３】
また、ガイドローラ突出用開口穴９は、揺動部材８およびベース面構成部材５２をともに表裏に貫通するように設けられている。
すなわち、ガイドローラ突出用開口穴９は、揺動部材側部分９ａと、ベース面構成部材側部分９ｂとからなる。
そして、ガイドローラ突出用開口穴９を構成するうちで、揺動部材側部分（揺動部材側の部位）９ａに緩衝停止部材６３が当接することによって、検出レバー６０が該検出レバー６０に対する付勢に抗して停止するようになっている。
よって、揺動部材８が揺動する際に検出レバー６０が揺動部材８に対し揺動してしまうことを防止できるので、このことによっても、コインの誤検出を防止できる。
つまり、コイン投出装置１が揺動部材８を備える場合に、緩衝停止部材６３とガイドローラ６１とを支持軸６４によってともに支持し、しかも、ガイドローラ突出用開口部９の内周に緩衝停止部材６３が当接することによって検出レバー６０を停止させる構成を、好適に実現できる。
【００３４】
また、緩衝停止部材６３がガイドローラ突出用開口部９の内周に当接して検出レバー６０が停止している際にも、ガイドローラ６１は、ガイドローラ突出用開口部９の何れの箇所にも接触せずに、回動自在に保たれるので、投出されないコインが図５（ａ）の矢印Ｄに従って移動する際にも、ガイドローラ６１が回動して、該コインをガイドすることができる。よって、投出されないコインが図５（ａ）の矢印Ｄに従って移動する際において、コイン押出部３３とガイドローラ６１との間隔にコインが詰まってしまうことを一層好適に防止できる。
【００３５】
以上のような実施の形態によれば、緩衝停止部材６３が、ガイドローラ（通過口内径可変部材）６１とともに、支持軸（支持部）６４によって支持されているので、緩衝停止部材６３を支持する支持部とガイドローラ６１を支持する支持部とを別個に備える必要がない。よって、構成をシンプルにすることができる。
しかも、緩衝停止部材６３が検出レバー６０の揺動先端側に設けられているので、揺動支点側に設けられている場合と比べて、より確実に、ガイドローラ６１をベース面５１上における停止位置（一定箇所）に再現性良く位置させることが可能となり、該停止位置にバラツキが生じてしまうことを防止できる。
【００３６】
また、ガイドローラ６１をベース面５１上に突出させるためのガイドローラ突出用開口部（可変部材突出用開口部）９の内周に緩衝停止部材６３を当接させることによって、検出レバー６０を該検出レバー６０に対する付勢に抗して停止させることができる。つまり、ガイドローラ突出用開口部９を、緩衝停止部材６３を緩衝停止させるためにも兼用できるので、緩衝停止部材６３を緩衝停止させるためだけの特別の部位或いは部材を備える必要がない。
【００３７】
特に、本実施の形態の場合、ガイドローラ突出用開口部９は、揺動部材８およびベース面構成部材５２をともに表裏に貫通するように設けられていて、該ガイドローラ突出用開口部９を構成するうちで、揺動部材側部分９ａに緩衝停止部材６３が当接することによって、検出レバー６０が停止するように構成されているので、揺動部材８が揺動する際に揺動部材８に対し検出レバー６０が揺動してしまうことを防止できるので、誤検出を防止できる。
よって、揺動部材８を備える場合に、ガイドローラ突出用開口部９を、緩衝停止部材６３の緩衝停止用に好適に兼用できる。
【００３８】
なお、上記の実施の形態では、スロットマシン用のコイン投出装置について説明したが、本発明はこれに限らず、例えば両替機用など、その他の用途のコイン投出装置に適用しても良い。
また、上記の実施の形態では、揺動部材８を備える場合について説明したが、本発明はこれに限らず、コイン投出装置１が揺動部材８を備えていなくても良い。この場合、ベース面構成部材５２に形成されたガイドローラ突出用開口部（可変部材突出用開口部）９、すなわち、ベース面構成部材側部分９ｂの内周に緩衝停止部材６３が当接することによって、検出レバー６０を停止させるように構成しても良い。
【００３９】
【発明の効果】
請求項１に記載の発明によれば、緩衝停止部材が、通過口内径可変部材とともに検出レバーが備える支持部によって支持されているので、緩衝停止部材を支持する支持部と通過口内径可変部材を支持する支持部とを別個に備える必要がない。しかも、緩衝停止部材が検出レバーの揺動先端側に設けられているので、通過口内径可変部材をベース面上における停止位置（一定箇所）に再現性良く位置させることが可能となり、該停止位置にバラツキが生じてしまうことを防止できる。
【００４０】
請求項２に記載の発明によれば、可変部材突出用開口部を、緩衝停止部材を緩衝停止させるためにも兼用できるので、緩衝停止部材を緩衝停止させるためだけの特別の部位或いは部材を備える必要がない。
【００４１】
請求項３に記載の発明によれば、回転ディスクの回転に伴いコイン押出部によりコインが通過口近傍位置に運ばれたにも拘わらず該通過口を通過して投出されない場合に、該投出されないコインがコイン押出部と通過口内径可変部材との間隔に挟み込まれて詰まってしまうことを防止するとともに、該投出されないコインが検出レバーを揺動させてしまうことによるコインの誤検出を防止するための揺動部材を備える場合に、本発明を好適に適用できる。
【図面の簡単な説明】
【図１】コイン投出装置を示す全体斜視図である。
【図２】コイン容器を取り外した状態のコイン投出装置を示す斜視図である。
【図３】コイン投出装置の本体部と回転ディスクの分解斜視図である。
【図４】回転ディスクの回転に伴うコインの移動を説明する図のうち、コインがコイン摺動面上を円弧状に移動する状態を示す図であり、このうち（ａ）はコイン押出部とコインとの位置関係を、（ｂ）は回転ディスク上面とコインとの位置関係を示す。
【図５】回転ディスクの回転に伴うコインの移動を説明する図のうち、コインが通過口に達した状態を示す図であり、このうち（ａ）はコイン押出部とコインとの位置関係を、（ｂ）は回転ディスク上面とコインとの位置関係を示す。
【図６】回転ディスクの回転に伴うコインの移動を説明する図のうち、コインが通過口にてコイン押出部により後押しされることにより検出レバー先端のガイドローラが移動した状態を示す図であり、このうち（ａ）はコイン押出部とコインとの位置関係を、（ｂ）は回転ディスク上面とコインとの位置関係を示す。
【図７】回転ディスクの回転に伴うコインの移動を説明する図のうち、コインが通過口を越えて、コイン投出通路側に移動した状態を示す図であり、このうち（ａ）はコイン押出部とコインとの位置関係を、（ｂ）は回転ディスク上面とコインとの位置関係を示す。
【図８】揺動部材を示す図であり、このうち（ａ）は表側を、（ｂ）は裏側を、それぞれ示す。
【図９】検出レバーを示す図であり、このうち（ａ）は表側を、（ｂ）は裏側を、それぞれ示す。
【図１０】ベース面構成部材の裏面に揺動部材が設けられた状態を示す裏面図である。
【図１１】検出レバー先端のガイドローラが可変部材突出用開口穴を介してベース面より突出している状態を説明するための要部拡大斜視図である。
【図１２】検出レバーの停止状態を示す要部拡大断面図である。
【図１３】コインが通過口に達した段階の検出レバーの状態を示す図である。
【図１４】コインが通過口にて押出部により後押しされることにより検出レバーが揺動した状態を示す図である。
【図１５】従来のコイン投出装置のベース面を示す図である。
【図１６】従来の揺動部材の表側を示す斜視図である。
【図１７】従来の揺動部材の裏側を示す斜視図である。
【図１８】従来のコイン投出装置の通過口近傍を示す拡大図である。
【符号の説明】
１      コイン投出装置
２      コイン容器
３      回転ディスク
３３    コイン押出部
５１    ベース面
５１４  通過口
５２    ベース面構成部材
６０    検出レバー
６１    ガイドローラ（通過口内径可変部材）
６２    検出センサ（検出部）
６３    緩衝停止部材
６４    支持軸（支持部）
８      揺動部材
９      ガイドローラ突出用開口穴（可変部材突出用開口穴）
９ａ    揺動部材側部分（可変部材突出用開口穴を構成するうちで揺動部材側の部位）
【図１】
0004126689.tif 000002
【図２】
0004126689.tif 000003
【図３】
0004126689.tif 000004
【図４】
0004126689.tif 000005
【図５】
0004126689.tif 000006
【図６】
0004126689.tif 000007
【図７】
0004126689.tif 000008
【図８】
0004126689.tif 000009
【図９】
0004126689.tif 000010
【図１０】
0004126689.tif 000011
【図１１】
0004126689.tif 000012
【図１２】
0004126689.tif 000013
【図１３】
0004126689.tif 000014
【図１４】
0004126689.tif 000015
【図１５】
0004126689.tif 000016
【図１６】
0004126689.tif 000017
【図１７】
0004126689.tif 000018
【図１８】
0004126689.tif 000019